(57)【要約】      （修正有）【課題】自動車に乗っている人や自動車に近接する人が見るしるしを照らす、バックミラーアセンブリで使用される照明装置を提供する。【解決手段】照明装置は光源１０２ａ〜１０２ｃと第１の光学素子１０４とを備える。第１の光学素子は、光源から受光した光を誘導する集光用光学部品１０８と、集光用光学部品と光通信状態にあり、かつ集光用光学部品からの光を反射する反射用光学部品１１０と、第１の光学素子に伝播する光を操る複数の光操向領域１１２ａ〜１１２ｃと、第１の光学素子から出る光を拡散する光拡散光学部品１１５とを有する。第２の光学素子１０６は、第１の光学素子と光通信状態にあり、第１の光学素子から受信された光を散乱してしるしを照らす。【選択図】図２
0003203383.tif 000002
【実用新案登録請求の範囲】
【請求項１】
バックミラーアセンブリで使用される照明装置であって、
第１の面および第２の面を有するプリント回路基板と、
前記第１の面上に置かれた光源と、
前記第１の面に隣接し、
前記光源から受光した光を誘導するように構成されている集光用光学部品と、
前記第１の光学素子に伝播する光を操るように構成されている複数の光操向領域を有し、前記複数の光操向領域の各々から操向された光が、前記集光用光学部品に隣接して位置した出力面を通して出射される、第１の光学素子と、
プリント回路基板が前記第１の光学素子と前記第２の光学素子との間に少なくとも部分的に位置するようにして前記プリント回路基板の第２の面に隣接した第２の光学素子と、を備える照明装置。
【請求項２】
前記集光用光学部品が前記第１の光学素子の第１の部分に置かれ、前記第１の光学素子に誘導された光の少なくとも一部分が前記第１の光学素子の第２の部分に向けて伝播し、前記第１の部分が前記第２の部分の反対側に配置され、前記第１の部分が前記第２の部分よりも高さが大きい、請求項１に記載の照明装置。
【請求項３】
前記第１の光学素子に誘導された光の少なくとも一部分が前記第１の方向に沿って伝播し、前記複数の光操向領域が、前記第１の方向に実質的に直交する第２の方向に沿って並んで配置される、請求項２に記載の照明装置。
【請求項４】
前記光源が複数の発光ダイオードを有し、前記光操向領域の各々が、前記複数の発光ダイオードの関連する１つと実施的に並んでおり、前記複数の発光ダイオードの前記関連する１つから生じる光を操るように構成されている、請求項２に記載の照明装置。
【請求項５】
前記集光用光学部品が前記第１の光学素子の第１の部分に置かれ、前記第１の光学素子に誘導された光の少なくとも一部分が前記第１の光学素子の第２の部分に向けて伝播し、前記第１の部分の高さが前記第２の部分よりも大きい、請求項２に記載の照明装置。
【請求項６】
前記第１の光学素子と前記第２の光学素子とが単一の一体化光学部品を形成する、請求項２に記載の照明装置。
【請求項７】
バックミラーアセンブリで使用される照明装置であって、
複数の光源と、
第１の光学素子であって、
前記第１の光学素子の第１の部分に置かれ、かつ前記複数の光源から受光した光を前記第１の光学素子に誘導するように構成され、前記第１の光学素子に誘導された光の少なくとも一部分が前記第１の光学素子の第２の部分に向けて伝播し、前記第１の部分の高さが前記第２の部分よりも大きい、集光用光学部品と、              
前記第１の光学素子に伝播する光を操るように構成されている複数の光操向領域を有し、前記複数の光操向領域の各々から操向された光が、前記集光用光学部品に隣接して位置した出力面を通して出射され、前記光操向領域の各々が前記複数の光源の関連する１つと実施的に並んでおり、前記複数の光源の前記関連する１つから生じる光を操るように構成されている第１の光学素子と、を備える照明装置。
【請求項８】
第１の光学素子と平行に配置された第２の光学素子をさらに備える、請求項７に記載の照明装置。
【請求項９】
前記第１の光学素子と前記第２の光学素子とが単一の一体化光学部品を形成する、請求項８に記載の照明装置。
【請求項１０】
複数の光源が配置されているプリント回路基板をさらに備え、前記プリント回路基板が、前記第１の光学素子と前記第２の光学素子との間に少なくとも部分的に配置されている、請求項８に記載の照明装置。
【請求項１１】
前記第２の光学素子が、しるしを照らすべく前記第１の光学素子からの光を受信する、請求項８に記載の照明装置。
【請求項１２】
しるしを照らすべく前記第１の光学素子から光を受信するように構成されている電気光学ミラー素子と非電気光学ミラー素子のうちの１つをさらに備える、請求項７に記載の照明装置。
【請求項１３】
前記第１の光学素子に誘導された光の少なくとも一部分が前記第１の方向に沿って伝播し、前記複数の光操向領域が、前記第１の方向に実質的に直交する第２の方向に沿って並んで配置される、請求項７に記載の照明装置。
【請求項１４】
バックミラーアセンブリで使用される照明装置であって、
複数の光源と、
複数の光源と、前記複数の光源から受光した光を前記第１の光学素子の中に誘導するように構成され、前記第１の光学素子の中に誘導された光の少なくとも一部分が第１の方向に沿って伝播する集光用光学部品、および、
前記光学素子に伝播する光を操るように構成されている複数の光操向領域を有する第１の光学素子とを備え、
前記複数の光操向領域の各々から操向された光が、前記集光用光学部品に隣接して位置した出力面を通して出射され、前記複数の光操向領域が、前記第１の方向に実質的に直交する第２の方向に沿って並んで配置される、照明装置。
【請求項１５】
第１の光学素子と平行に配置された第２の光学素子をさらに備える、請求項１４に記載の照明装置。
【請求項１６】
前記第１の光学素子と前記第２の光学素子とが単一の一体化光学部品を形成する、請求項１５に記載の照明装置。
【請求項１７】
複数の光源が配置されているプリント回路基板をさらに備え、前記プリント回路基板が、前記第１の光学素子と前記第２の光学素子との間に少なくとも部分的に配置されている、請求項１５に記載の照明装置。
【請求項１８】
前記第２の光学素子が、しるしを照らすべく前記第１の光学素子からの光を受信する、請求項１５に記載の照射装置。
【請求項１９】
しるしを照らすべく前記第１の光学素子から光を受信するように構成されている電気光学ミラー素子と非電気光学ミラー素子のうちの１つをさらに備える、請求項１４に記載の照射装置。
【請求項２０】
前記集光用光学部品が前記第１の光学素子の第１の部分に置かれ、前記第１の光学素子に誘導された光の少なくとも一部分が前記第１の光学素子の第２の部分に向けて伝播し、前記第１の部分の高さが前記第２の部分よりも大きい、請求項１４に記載の照射装置。
【考案の詳細な説明】
【技術分野】
【０００１】
関連出願との相互参照
本出願は、米国特許法第１１９条（ｅ）に基づいて、「照明装置（ＬＩＧＨＴ  ＳＹＳＴＥＭ）」と題された米国特許仮出願第６１／７４６，１４７号（２０１２年１２月２７日出願）の優先権を主張するもので、その出願の開示全体を本明細書に参照として援用する。
【背景技術】
【０００２】
考案の分野
本考案は、概して照明装置に関し、より詳しくは、バックミラーアセンブリに使用されるように構成されている照明用光学部品を有する照明装置に関する。
【考案の概要】
【考案が解決しようとする課題】
【０００３】
考案の要約
本考案の１つの態様によれば、バックミラーアセンブリで使用される照明装置が提供され、この照明装置は、第１の面と第２の面とを有するプリント回路基板を具備する。光源は上記第１の面に置かれている。第１の光学素子は、第１の面に連結され、上記光源から受光した光を誘導するように構成されている集光用光学部品と、上記集光用光学部と光通信状態にあり、かつ上記集光用光学部品から受信した光を反射するように構成されている反射用光学部品と、上記第１の光学素子に伝播する光を操るように構成されている複数の光操向領域とを備え、上記複数の光操向領域の各々から操向された光が、上記集光用光学部品に隣接して置かれた出力面を通して、上記第１の光学素子を出る。第２の光学素子は、上記第２の面に連結され、第１の光学素子と光通信状態にあり、上記第２の光学素が、上記第１の光学素子から受信された光を散乱してしるしを照らすように構成されている。
【０００４】
本考案の別の態様によれば、バックミラーアセンブリで使用される照明装置が提供され、この照明装置は光源と第１の光学素子とを備える。上記第１の光学素子は、上記光源から受光した光を誘導するように構成されている集光用光学部品と、上記集光用光学部品と光通信状態にあり、かつ上記集光用光学部品からの光を反射するように構成されている反射用光学部品と、上記第１の光学素子に伝播する光を操るように構成されている複数の光操向領域と、上記第１の光学素子を出る光を拡散するように構成されている光拡散光学部品とを有する。第２の光学素子は、上記第１の光学素子と光通信状態にあり、上記第１の光学素子から受信された光を散乱してしるしを照らすように構成されている。
【０００５】
本考案の別の態様によれば、バックミラーアセンブリで使用される照明装置が提供され、この照明装置は光源と第１の光学素子とを備える。上記第１の光学素子は、上記光源から受光した光を誘導するように構成されている集光用光学部品と、上記集光用光学部と光通信状態にあり、かつ上記集光用光学部品から受信した光を反射するように構成されている反射用光学部品と、上記反射用光学部品から反射された光を操向するように構成されている少なくとも１つの光操向領域とを有し、上記少なくとも１つの光操向領域から操向された光が、上記集光用光学部品に隣接して置かれた出力面を通して、上記第１の光学素子を出る。
【０００６】
本考案のこれらおよびその他の特徴、利点、および目的は、以下の明細書、特許請求の範囲、および添付図面を参照により、当業者によってさらに理解および認識される。
【図面の簡単な説明】
【０００７】
【図１】図１は、本考案の一実施形態に係る照明装置の図である。
【図２】図２は、図１の照射装置の斜視図である。
【図３】図３は、本考案の一実施形態に係る、電気光学ミラー素子を有するバックミラーアセンブリに組み込まれた照明装置の概略図である。
【図４】図４は、本考案の一実施形態に係る、非電気光学ミラー素子を有するバックミラーアセンブリに組み込まれた照明装置の概略図である。
【図５】図５は本考案の一実施形態に係る、照明装置の斜視図である。
【図６】図６は、図５の照明装置の上面図である。
【図７】図７は、図５および図６の部分拡大図である。
【図８】図８は、図５のＶＩＩＩ−ＶＩＩＩ線に沿う、照明装置の断面図である。
【図９】図９は、図６の照明装置の他の実施形態である。
【考案を実施するための形態】
【０００８】
考案の詳細な説明
複数の実施形態に示された本考案は、照射装置に関する方法ステップと装置構成要素との組み合わせに主として属する。従って、装置構成要素および方法ステップが説明されており、必要に応じて図中の慣習的な符号により、本考案の実施形態の理解に関係のある特定の詳細のみを示すことで、当業者が容易に理解できる、本明細書中の説明の利益を得られる詳細な開示が不明瞭にならないようにする。
【０００９】
さらに、説明および図面にある同様の数字は、同様の要素を表す。本明細書では、関連する用語、例えば、第１および第２、上および下などは、１つの構成要素または動作を他の構成要素または動作と区別することを唯一の目的として用いられるもので、そのような複数の構成要素または動作の間での実際の相互関係または順序を必ずしも要求または暗喩するものではない。「備える（“ｃｏｍｐｒｉｓｅｓ”、“ｃｏｍｐｒｉｓｉｎｇ”）」という用語、またはその用語の他のバリエーションは、列挙される複数の要素を含むプロセス、方法、物、または装置がそれらの要素のみを含むものではなく、はっきりと列挙されていない、またはそのようなプロセス、方法、物、もしくは装置にとって固有のものではない他の要素を含みうるように非排他的包含を範囲とすることを意図している。「〜を備える」に先行する要素は、その要素を備えるプロセス、方法、物品、または装置において同一の要素が追加されて存在することを、より多くの制限を受けることなく、除外するものではない。
【００１０】
本明細書中に説明される実施形態は、バックミラーアセンブリに用いられうる照明装置に関し、自動車に乗っている人および／またはその自動車に近接している人によって見ることができるしるしを照らすべく構成されている。例として、方向指示、側面死角域指示器、車線変更指示器、接近点灯指示器など、またはそれらの組み合わせが挙げられる。バックミラーアセンブリは、電気光学ミラー素子を有することができ、ミラー素子の反射率は、光センサーおよび／または光センサーにより検知された光に基づいて強度を変更する表示装置によって、検知される光に基づいて変化する。バックミラーアセンブリおよび／または光センサの例は、米国特許第６，８７０，６５６号（名称「第３の表面反射鏡を組み込んだ電子クロムバックミラー素子（ＥＬＥＣＴＲＯ  ＣＨＲＯＭＩＣ  ＲＥＡＲＶＩＥＷ  ＭＩＲＲＯＲ  ＥＬＥＭＥＮＴ  ＩＮＣＯＲＰＯＲＡＴＩＮＧ  Ａ  ＴＨＩＲＤ  ＳＵＲＦＡＣＥ  ＲＥＦＬＥＣＴＯＲ）」）、第６，３１３，４５７号（名称「電荷収集が一体化された半導体光センサを用いる水分検出システム（ＭＯＩＳＴＵＲＥ  ＤＥＴＥＣＴＩＮＧ  ＳＹＳＴＥＭ  ＵＳＩＮＧ  ＳＥＭＩＣＯＮＤＵＣＴＯＲ  ＬＩＧＨＴ  ＳＥＮＳＯＲ  ＷＩＴＨ  ＩＮＴＥＧＲＡＬ  ＣＨＡＲＧＥ  ＣＯＬＬＥＣＴＩＯＮ）」）、第６，３５９，２７４号（名称「フォトダイオード光検出子（ＰＨＯＴＯＤＩＯＤＥ  ＬＩＧＨＴ  ＳＥＮＳＯＲ）」）、第６，５０４，１４２号（名称「フォトダイオード光センサ（ＰＨＯＴＯＤＩＯＤＥ  ＬＩＧＨＴ  ＳＥＮＳＯＲ）、第６，４０２，３２８号（名称「電荷収集が一体化された半導体光センサを用いる自動調光ミラー（ＡＵＴＯＭＡＴＩＣ  ＤＩＭＭＩＮＧ  ＭＩＲＲＯＲ  ＵＳＩＮＧ  ＳＥＭＩＣＯＮＤＵＣＴＯＲ  ＬＩＧＨＴ  ＳＥＮＳＯＲ  ＷＩＴＨ  ＩＮＴＥＧＲＡＬ  ＣＨＡＲＧＥ  ＣＯＬＬＥＣＴＩＯＮ）」）、第６，３７９，０１３号（名称「半導体光検出子による自動車機器制御（ＶＥＨＩＣＬＥ  ＥＱＵＩＰＭＥＮＴ  ＣＯＮＴＲＯＬ  ＷＩＴＨ  ＳＥＭＩＣＯＮＤＵＣＴＯＲ  ＬＩＧＨＴ  ＳＥＮＳＯＲＳ）」）、第６，６７９，６０８号（名称「一体化されたアナモルフィックレンズを有するセンサデバイス（ＳＥＮＳＯＲ  ＤＥＶＩＣＥ  ＨＡＶＩＮＧ  ＡＮ  ＩＮＴＥＧＲＡＬ  ＡＮＡＭＯＲＰＨＩＣ  ＬＥＮＳ）」、第６，８３１，２６８号（名称「小口径から実質的に離間するためのセンサ構成（ＳＥＮＳＯＲ  ＣＯＮＦＩＧＵＲＡＴＩＯＮ  ＦＯＲ  ＳＵＢＳＴＡＮＴＩＡＬ  ＳＰＡＣＩＮＧ  ＦＲＯＭ、ＳＭＡＬＬ  ＡＰＥＲＴＵＲＥ）」）、第７，５４３，９４６号（名称「グレアセンサを有する調光可能なバックミラーアセンブリ（ＤＩＭＭＡＢＬＥ  ＲＥＡＲＶＩＥＷ  ＡＳＳＥＭＢＬＹ  ＨＡＶＩＮＧ  ＧＬＡＲＥ  ＳＥＮＳＯＲ」）、および第６，７４２，９０４号（名称「半導体光検出子による自動車機器制御」（ＶＥＨＩＣＬＥ  ＥＱＵＩＰＭＥＮＴ  ＣＯＮＴＲＯＬ  ＷＩＴＨ  ＳＥＭＩＣＯＮＤＵＣＴＯＲ  ＬＩＧＨＴ  ＳＥＮＳＯＲＳ）」に記載されており、それらの全体が本明細書に参考として援用される。
【００１１】
図１および図２を参照すると、照射装置は、参照符号１００で示される。照射装置１００は、発光ダイオード（ＬＥＤ）１０２ａ、１０２ｂ、および１０２ｃ、第１の光学素子１０４、ならびに第２の光学素子１０６として示される光源を含みうる。第１の光学素子１０４は、光伝搬材料から成形可能であり、集光用光学部品１０８、反射用光学部品１１０、および１つ以上の光操向領域を含むことができ、光操向領域１１２ａ、１１２ｂ、および１１２ｃとして示される。第２の光学素子１０６は、光拡散材料から成形可能であり、第１の光学素子１０４と離間して設けられうる。あるいは、第１の光学素子１０４および第２の光学素子１０６は、単一の一体型光学部品を形成するべく、組み合わせられうる。
【００１２】
図に示した実施形態では、集光用光学部品１０８は、ＬＥＤ１０２ａ、１０２ｂおよび１０２ｃから受信された光を誘導するべく、構成されている。集光用光学部品１０８は、長尺状であり、円筒状または他のアナモルフィック構成を有しうる。図示したように、ＬＥＤ１０２ａ〜１０２ｃは、線形構成で配置され、集光用光学部品１０８の長手方向に沿って一定間隔で配置される、または集光用光学部品１０８に近接して配置される。このように、集光用光学部品１０８が、少なくとも１つの平面内で、ＬＥＤ１０２ａ、１０２ｂ、および１０２ｃから受信された光を誘導することができる。当然のことながら、ＬＥＤは数を変えて使用することが可能であり、複数の集光用光学部品が用いられうるように様々な位置に配置されうる。
【００１３】
反射用光学部品１１０は、集光用光学部品１０８と光通信状態にあり、そこから受信した光を反射するように構成される。反射用光学部品１１０は、全反射（ＴＩＲ）光学部品または被覆された反射用光学部品を含むことができる。さらに、反射用光学部品１１０は、光操向領域１１２ａ〜１１２ｃの方へ反射される光の量を増加させるために、集光用光学部品１０８と同じ長さに伸長するように構成することができる。
【００１４】
光操向領域１１２ａ、１１２ｂ、および１１２ｃは、反射用光学部品１１０と光通信状態あり、また第１の光学素子１０４に伝播する光を操向するように構成される。各々の光操向領域１１２ａ〜１１２ｃはＴＩＲ光学部品、被覆反射用光学部品、またはくさびプリズムを含むことができる。各々の光操向領域１１２ａ〜１１２ｃは、様々な位置に置かれ、任意の他の光操向領域１１２ａ〜１１２ｃと平行または非平行でありうる。さらに、各々の光操向領域１１２ａ〜１１２ｃは、規則的な形状を有するもの（例えば光操向領域１１２ａおよび１１２ｂ）、または、非規則的な形状を有するもの（例えば、１１２ｃ）でありうる。示されるように、光操向領域１１２ａ、１１２ｂ、および１１２ｃは各々反射用光学部品１１０から異なる距離に位置することができ、互いに交互配列されうる。図示した実施例では、光操向領域１１２ａ、１１２ｂ、および１１２ｃは、光操向領域１１２ａがＬＥＤ１０２ａに実質的に面するように置かれ、光操向領域１１２ｂがＬＥＤ１０２ｂに実質的に面するように置かれ、さらに、光操向領域１１２ｃがＬＥＤ１０２ｃに実質的に面するように置かれるように、交互に配置されている。しかしながら、光操向領域の数を変えて用いることができることが認識されるべきである。また、所定の光操向領域の任意の位置は、第１の光学素子１０４からの所望の光に基づいて異なってもよい。
【００１５】
光操向領域１１２ａ〜１１２ｃから操向された光は、集光用光学部品１０８に隣接して置かれる出力面１１４を通って、第１の光学素子１０４を出る。出力面１１４は、光拡散光学部、例えば、限定されるものではないが第１の光学素子１０４を出射した光を拡散するように構成されている一連の矩形枕型レンズ（例えば、枕型光学部品）１１５でありうる。図示した実施形態では、集光用光学部品１０８と出力面１１４がともに、ＬＥＤ１０２ａ〜１０２ｃから放射された光が第１の方向から（集光用光学部品１０８を経由して）第１の光学素子１０４に入射し、第１の方向とは反対の方向に第２の光学素子１０４を（出力面１１４を経由して）出射するように、第１の光学素子１０４の第１の面を、規定する。
【００１６】
第１の光学素子１０４を出射する光は、第２の光学素子１０６に受光され、この第２の光学素子１０６は、第１の光学素子１０４と光通信状態あり、かつ第１の光学素子１０４と平行に位置することができる。第２の光学素子１０６は、様々な形状および／または寸法で構成されうることが認識されるべきである。図示した実施形態では、第２の光学素子１０６は平面状に構成されており、第１の光学素子１０４に最も近接して置かれる近位側面部１１６を通して光を受信する。第２の光学素子１０６に入力する光は拡散され、しるし１２０を実質的に均一または実質的に不均一に照射するべく使用でき、このしるし１２０は、第１の光学素子１０４から最も離れて置かれる第２の光学素子の遠位側面部１２２に位置している。しるし１２０は、第２の光学素子１０６の遠位側面部１２２上に蒸着された被膜１２４によってマスクされ、またはこの被膜１２４からレーザー除去されうる。さらに、光がそれを通って逃げるのを防ぐために、第２の光学素子１０６の他の側面部を覆うこともできる。
【００１７】
あるいは、バックミラーアセンブリが既に所望のしるしを有している場合、第２の光学素子１０６もしるし１２０なしで提供されうる。例えば、図３に示されるように、照明装置１００はバックミラーアセンブリ２００に用いることができ、このバックミラーアセンブリ２００は、第１の面２０４、第２の面２０６、第３の面２０８、および第４の面２１０として示されるような複数の面を持つ電気光学ミラー素子２０２（例えば、エレクトロクロミックミラー）を有する。そのような配置では、しるし（不図示）は、第１の面２０４、第２の面２０６、第３の面２０８、および第４の面２１０のいずれか１つの上に置くことができる。従って、照明装置１００は、第２の光学素子１０６または第１の光学素子１０４（第２の光学素子１０６が用いられない場合）から出る光がしるしを照らしうるように、バックミラーアセンブリ２００の内側の最も大きい面（第４の面２１０）に近接して置かれ、適切に位置合わせされうる。別の例では、図４に示すように、照明装置１００は、第１の面２１６および第２の面２１８を持つ非電気光学ミラー素子２１４（例えばガラスミラー素子）を有するバックミラーアセンブリ２１２に用いられうる。そのような配置では、しるし（不図示）は、第１の面２１６と第２の面２１８とのいずれか一方に置かれうる。従って、照明装置１００は、第２の光学素子１０６または第１の光学素子１０４（第２の光学素子１０６が用いられない場合）から出る光がしるしを照らしうるように、バックミラーアセンブリ２１２の内側の最も大きい面（第２の面２１８）に近接して置かれ、適切に位置合わせされうる。しるしを欠くバックミラーアセンブリについては、しるしのある第２の光学素子を有する照明装置を、同様にして組み込むことができる。
【００１８】
図５〜図８を参照すると、照明装置１００は別の実施形態に基づいて示される。図示した実施形態では、照明装置１００は、被覆部１２９の内側に（例えば、機械的留め具、摩擦、または他の適当な手段を通して）固定され、かつ第１の面１３０と第２の面１３２とを有するプリント回路基板（ＰＣＢ）１２８を備える。光源は、ＬＥＤ１０２ｄ、１０２ｅ、および１０２ｆとして示されており、ＰＣＢ１２８の第１の面１３０に位置し、非線形的構成で例示されている。第１の光学素子１０４は、ＰＣＢ１２８の第１の面１３０に連結されており、またＬＥＤ１０２ｄ、１０２ｅ、および１０２ｆに対して高い位置に置かれており、ＬＥＤ１０２ｄおよび１０２ｅは、集光用光学部品１０８ａと近接して並べられており、ＬＥＤ１０２ｆは集光用光学部品１０８ｂと近接して並べられている。第１の光学素子１０４は、スダンドオフまたはそれに類似のものを用いて、ＰＣＢ１２８の第１の面１３０に連結されうる。図示するように、ＰＣＢ１２８にはギャップがあり、このギャップを通して、第１の光学素子１０４を（出力面１１４を通して）出る光が、ＰＣＢ１２８の第２の面１３２に置かれた第２の光学素子１０６に向けて伝播し、この第２の光学素子１０６に受信される。ギャップは第１の光学素子１０４の出力面１１４に類似の輪郭を有するように示されているが、しかし、このギャップがいかなる特定の形状および／または寸法に必ずしも制限されないことを、認識しておくべきである。
【００１９】
図示した実施形態では、第２の光学素子１０６は、スダンドオフまたはそれに類似のものを用いて、ＰＣＢ１２８の第２の面１３２に連結されうる。あるいは、第２の光学素子１０６は、ＰＣＢ１２８と直接接することができ、それによって照明装置１００の高さを減少させる （図９参照）。いかなる場合でも、第２の光学素子１０６と被覆部１２９とは、密閉された筐体を規定するべく協働しうる。この筐体は、ＰＣＢ１２８、ＬＥＤ１０２ｄ〜１０２ｆ、および第１の光学素子１０４を包含するもので、このような包含はレーザー溶接または他の適当な手段を通して達成されうる。あるいは、第２の光学素子１０６は照射装置１００に含まれず、被覆部１２９がＰＣＢ１２８と協働して筐体を規定することができる。バックミラーアセンブリが既にしるしを望んだ場合、そのような配置は有利になりうる。既に言及したように、いくつかのバックミラーアセンブリは、電気光学ミラー素子（例えば、エレクトロミック素子）または非電気光学ミラー素子の少なくとも１つの面上に置かれたしるしを既に有していてもよい。それによって、第２の光学素子１０６に同様のしるしを提供すること、あるいは、照明装置１００に第２の光学素子１０６を完全に含ませることのいずれかに対する要求が、取り除かれる。そのような状況では、第２の光学素子１０６または第１の光学素子１０４（第２の光学素子１０６がない場合）から出る光は、バックミラーアセンブリのしるしを照らすために用いられうる。構成にかかわらず、照明装置１００は、低姿勢に（例えば、薄く）パッケージされた設計を有利に提供するとともに、電力を受信および／または電気的接続を形成するべく構成されうる電気的コネクター１３６を通して、他の電気的装置と一体化しうる。一つの実施形態によれば、本明細書中に説明される照明装置１００は、約８．５ｍｍ未満の高さ、または約８．２ｍｍ未満の高さを有することができ、金属被覆がなされた反射器を有することなく姿勢が低いものとすることができる。
【００２０】
当業者および本考案を実施または利用しようとする者は、本考案を改良できることに気付くであろう。従って、図面および上記の説明に示した実施形態は、単に説明を目的にしたものであって本考案の範囲を限定することを意図したものではなく、本考案の範囲は、均等論を含む特許法の原則に従って解釈される以下の特許請求の範囲によって定義される。
【図１】
0003203383.tif 000003
【図２】
0003203383.tif 000004
【図３】
0003203383.tif 000005
【図４】
0003203383.tif 000006
【図５】
0003203383.tif 000007
【図６】
0003203383.tif 000008
【図７】
0003203383.tif 000009
【図８】
0003203383.tif 000010
【図９】
0003203383.tif 000011
【手続補正書】
【提出日】平成28年1月20日(2016.1.20)
【手続補正１】
【補正対象書類名】実用新案登録請求の範囲
【補正対象項目名】全文
【補正方法】変更
【補正の内容】
【実用新案登録請求の範囲】
【請求項１】
バックミラーアセンブリで使用される照明装置であって、
第１の面および第２の面を有するプリント回路基板と、
前記第１の面上に置かれた光源と、
前記第１の面に隣接し、
前記光源から受光した光を誘導するように構成されている集光用光学部品と、
前記第１の光学素子に伝播する光を操るように構成されている複数の光操向領域を有し、前記複数の光操向領域の各々から操向された光が、前記集光用光学部品に隣接して位置した出力面を通して出射される、第１の光学素子と、
プリント回路基板が前記第１の光学素子と前記第２の光学素子との間に少なくとも部分的に位置するようにして前記プリント回路基板の第２の面に隣接した第２の光学素子と、を備える照明装置。
【請求項２】
前記集光用光学部品が前記第１の光学素子の第１の部分に置かれ、前記第１の光学素子に誘導された光の少なくとも一部分が前記第１の光学素子の第２の部分に向けて伝播し、前記第１の部分が前記第２の部分の反対側に配置され、前記第１の部分が前記第２の部分よりも高さが大きい、請求項１に記載の照明装置。
【請求項３】
前記第１の光学素子に誘導された光の少なくとも一部分が前記第１の方向に沿って伝播し、前記複数の光操向領域が、前記第１の方向に実質的に直交する第２の方向に沿って並んで配置される、請求項２に記載の照明装置。
【請求項４】
前記光源が複数の発光ダイオードを有し、前記光操向領域の各々が、前記複数の発光ダイオードの関連する１つと実施的に並んでおり、前記複数の発光ダイオードの前記関連する１つから生じる光を操るように構成されている、請求項２に記載の照明装置。
【請求項５】
前記集光用光学部品が前記第１の光学素子の第１の部分に置かれ、前記第１の光学素子に誘導された光の少なくとも一部分が前記第１の光学素子の第２の部分に向けて伝播し、前記第１の部分の高さが前記第２の部分よりも大きい、請求項２に記載の照明装置。
【請求項６】
前記第１の光学素子と前記第２の光学素子とが単一の一体化光学部品を形成する、請求項２に記載の照明装置。
【請求項７】
バックミラーアセンブリで使用される照明装置であって、
複数の光源と、
第１の光学素子であって、
前記第１の光学素子の第１の部分に置かれ、かつ前記複数の光源から受光した光を前記第１の光学素子に誘導するように構成され、前記第１の光学素子に誘導された光の少なくとも一部分が前記第１の光学素子の第２の部分に向けて伝播し、前記第１の部分の高さが前記第２の部分よりも大きい、集光用光学部品と、              
前記第１の光学素子に伝播する光を操るように構成されている複数の光操向領域を有し、前記複数の光操向領域の各々から操向された光が、前記集光用光学部品に隣接して位置した出力面を通して出射され、前記光操向領域の各々が前記複数の光源の関連する１つと実施的に並んでおり、前記複数の光源の前記関連する１つから生じる光を操るように構成されている第１の光学素子と、を備える照明装置。
【請求項８】
第１の光学素子と平行に配置された第２の光学素子をさらに備える、請求項７に記載の照明装置。
【請求項９】
前記第１の光学素子と前記第２の光学素子とが単一の一体化光学部品を形成する、請求項８に記載の照明装置。
【請求項１０】
複数の光源が配置されているプリント回路基板をさらに備え、前記プリント回路基板が、前記第１の光学素子と前記第２の光学素子との間に少なくとも部分的に配置されている、請求項８に記載の照明装置。
【請求項１１】
前記第２の光学素子が、しるしを照らすべく前記第１の光学素子からの光を受信する、請求項８に記載の照明装置。
【請求項１２】
しるしを照らすべく前記第１の光学素子から光を受信するように構成されている電気光学ミラー素子と非電気光学ミラー素子のうちの１つをさらに備える、請求項７に記載の照明装置。
【請求項１３】
前記第１の光学素子に誘導された光の少なくとも一部分が前記第１の方向に沿って伝播し、前記複数の光操向領域が、前記第１の方向に実質的に直交する第２の方向に沿って並んで配置される、請求項７に記載の照明装置。
【請求項１４】
バックミラーアセンブリで使用される照明装置であって、
複数の光源と、
複数の光源と、前記複数の光源から受光した光を前記第１の光学素子の中に誘導するように構成され、前記第１の光学素子の中に誘導された光の少なくとも一部分が第１の方向に沿って伝播する集光用光学部品、および、
前記光学素子に伝播する光を操るように構成されている複数の光操向領域を有する第１の光学素子とを備え、
前記複数の光操向領域の各々から操向された光が、前記集光用光学部品に隣接して位置した出力面を通して出射され、前記複数の光操向領域が、前記第１の方向に実質的に直交する第２の方向に沿って並んで配置される、照明装置。
【請求項１５】
第１の光学素子と平行に配置された第２の光学素子をさらに備える、請求項１４に記載の照明装置。
【請求項１６】
前記第１の光学素子と前記第２の光学素子とが単一の一体化光学部品を形成する、請求項１５に記載の照明装置。
【請求項１７】
複数の光源が配置されているプリント回路基板をさらに備え、前記プリント回路基板が、前記第１の光学素子と前記第２の光学素子との間に少なくとも部分的に配置されている、請求項１５に記載の照明装置。
【請求項１８】
前記第２の光学素子が、しるしを照らすべく前記第１の光学素子からの光を受信する、請求項１５に記載の照明装置。
【請求項１９】
しるしを照らすべく前記第１の光学素子から光を受信するように構成されている電気光学ミラー素子と非電気光学ミラー素子のうちの１つをさらに備える、請求項１４に記載の照明装置。
【請求項２０】
前記集光用光学部品が前記第１の光学素子の第１の部分に置かれ、前記第１の光学素子に誘導された光の少なくとも一部分が前記第１の光学素子の第２の部分に向けて伝播し、前記第１の部分の高さが前記第２の部分よりも大きい、請求項１４に記載の照明装置。